(57)【要約】【課題】部品内蔵基板の接地配線が金属から成りシールド部が導電性合成樹脂から成る場合でも、接地配線とシールド部との密着力低下を抑制して両者間の導通性低下を回避し、所期のシールド効果を良好に維持できる電子回路モジュールを提供する。【解決手段】電子回路モジュールは接地配線を兼用するコア層１１ａを有しており、該コア層１１ａの各第１突出部１１ａ４におけるシールド部１４の端面１４ａと向き合う面ＯＳは絶縁性合成樹脂から成る外装部１１ｐにおけるシールド部１４の端面１４ａと向き合う面ＯＳと隣接していて、シールド部１４はその端面１４ａを各第１突出部１１ａ４におけるシールド部１４の端面１４ａと向き合う面ＯＳと外装部１１ｐにおけるシールド部１４の端面１４ａと向き合う面ＯＳの両方に密着している。【選択図】図２
2014112627.tif 000002
【特許請求の範囲】
【請求項１】
部品内蔵基板と、前記部品内蔵基板に実装された実装部品と、前記実装部品を覆う封止部と、前記封止部を覆う導電性合成樹脂製のシールド部を備えた電子回路モジュールであって、
前記部品内蔵基板は、接地配線を兼用する金属製のコア層と、前記コア層の側面を覆う絶縁性合成樹脂製の外装部と、前記コア層の側面から外側に向けて張り出しその端面を前記外装部から露出した該コア層と一体の第１突出部を有しており、
前記第１突出部における前記シールド部の端面と向き合う面は前記外装部における前記シールド部の端面と向き合う面と隣接していて、
前記シールド部はその端面を前記第１突出部における前記シールド部の端面と向き合う面と前記外装部における前記シールド部の端面と向き合う面の両方に密着している、
ことを特徴とする電子回路モジュール。
【請求項２】
前記第１突出部における前記シールド部の端面と向き合う面と前記コア層の厚さ方向一面との間には距離があって、前記コア層の側面には該距離に準じた側面区域が設けられており、
前記シールド部はその端面を前記第１突出部における前記シールド部の端面と向き合う面と前記外装部における前記シールド部の端面と向き合う面の両方に密着していると共にその端部内面を前記側面区域に密着している、
ことを特徴とする請求項１に記載の電子回路モジュール。
【請求項３】
前記第１突出部は前記コア層の側面に複数設けられている、
ことを特徴とする請求項１又は２に記載の電子回路モジュール。
【請求項４】
前記コア層はその側面から外側に向けて張り出しその端面を前記外装部から露出した該コア層と一体の第２突出部を有しており、
前記第２突出部の前記コア層の厚さ方向における位置は前記第１突出部の前記コア層の厚さ方向における位置と異なっていて、前記シールド部は前記第２突出部に密着していない、
ことを特徴とする請求項１〜３の何れか１項に記載の電子回路モジュール。
【請求項５】
前記第２突出部は前記コア層の側面に複数設けられている、
ことを特徴とする請求項４に記載の電子回路モジュール。
【請求項６】
前記外装部は熱硬化性合成樹脂又は補強フィラーを含有した熱硬化性合成樹脂から成る、
ことを特徴とする請求項１〜５の何れか１項に記載の電子回路モジュール。
【請求項７】
前記シールド部は導電フィラーを含有した熱硬化性合成樹脂から成る、
ことを特徴とする請求項１〜６の何れか１項に記載の電子回路モジュール。
【発明の詳細な説明】
【技術分野】
【０００１】
本発明は、部品内蔵基板に実装された実装部品を覆う封止部と該封止部を覆うシールド部を有する電子回路モジュールに関する。
【背景技術】
【０００２】
この種の電子回路モジュールは、例えば下記特許文献１の図３に示されているように、部品内蔵基板と、部品内蔵基板に実装された実装部品と、実装部品を覆う封止部と、封止部を覆うシールド部を備えている。この電子回路モジュールにあっては、内蔵部品と実装部品を含む所定の電子回路が３次元的に構築されており、部品内蔵基板の接地配線に接続されたシールド部によって外部からのノイズ侵入が抑制されている。
【０００３】
ところで、前記のような電子回路モジュールにおけるシールド部は一般に金属から形成されているが、該シールド部を導電性合成樹脂から形成すると以下のような不具合を生じる恐れがある。即ち、金属と合成樹脂との密着力は金属同士の密着力又は合成樹脂同士の密着力に比して低くなる傾向があるため、シールド部を導電性合成樹脂から形成すると、該シールド部と金属製の接地配線との経時的な密着力低下を原因として界面に局部的な剥離が生じ、その結果、シールド部と接地配線との間の導通性が低下して所期のシールド効果が得難くなる。
【先行技術文献】
【特許文献】
【０００４】
【特許文献１】特開２００９−００４５８４号公報
【発明の概要】
【発明が解決しようとする課題】
【０００５】
本発明の目的は、部品内蔵基板の接地配線が金属から成りシールド部が導電性合成樹脂から成る場合でも、接地配線とシールド部との密着力低下を抑制して両者間の導通性低下を回避し、所期のシールド効果を良好に維持できる電子回路モジュールを提供することにある。
【課題を解決するための手段】
【０００６】
前記目的を達成するため、本発明は、部品内蔵基板と、前記部品内蔵基板に実装された実装部品と、前記実装部品を覆う封止部と、前記封止部を覆う導電性合成樹脂製のシールド部を備えた電子回路モジュールであって、前記部品内蔵基板は、接地配線を兼用する金属製のコア層と、前記コア層の側面を覆う絶縁性合成樹脂製の外装部と、前記コア層の側面から外側に向けて張り出しその端面を前記外装部から露出した該コア層と一体の第１突出部を有しており、前記第１突出部における前記シールド部の端面と向き合う面は前記外装部における前記シールド部の端面と向き合う面と隣接していて、前記シールド部はその端面を前記第１突出部における前記シールド部の端面と向き合う面と前記外装部における前記シールド部の端面と向き合う面の両方に密着している、ことをその特徴とする。
【発明の効果】
【０００７】
本発明によれば、部品内蔵基板の接地配線が金属から成りシールド部が導電性合成樹脂から成る場合でも、接地配線とシールド部との密着力低下を抑制して両者間の導通性低下を回避し、所期のシールド効果を良好に維持できる電子回路モジュールを提供することができる。
【０００８】
本発明の前記目的及び他の目的と、各目的に応じた特徴と効果は、以下の説明と添付図面によって明らかとなる。
【図面の簡単な説明】
【０００９】
【図１】図１は、本発明を適用した電子回路モジュールの斜視図である。
【図２】図２は、図１のＬ１線に沿う縦断面図である。
【図３】図３は、図１のＬ２線に沿う縦断面図である。
【図４】図４は、図１のＬ３線に沿う縦断面図である。
【図５】図５は、図２〜図４に示したコア層の側面図である。
【図６】図６（Ａ）〜図６（Ｃ）は、図１に示した電子回路モジュールの好適な製法例を説明するための図である。
【図７】図７（Ａ）〜図７（Ｄ）は、図１に示した電子回路モジュールの好適な製法例を説明するための図である。
【発明を実施するための形態】
【００１０】
《電子回路モジュールの構造》
図１〜図５に示した電子回路モジュール１０は、部品内蔵基板１１と、部品内蔵基板１１に実装された実装部品１２と、実装部品１２を覆う封止部１３と、封止部１３を覆うシールド部１４を備えており、内蔵部品１１ｂと実装部品１２を含む所定の電子回路が３次元的に構築されている。
【００１１】
尚、図２〜図４の縦断面位置（図１のＬ１線〜Ｌ３線を参照）はそれぞれ異なるが、便宜上、図２〜図４に現れる後記コア層１１ａの側面部分を除く断面構造を同じにしてある。
【００１２】
図２〜図４に示した断面構造において、部品内蔵基板１１は、コア層１１ａと、コア層１１ａに形成された収容部１１ａ１に収納された内蔵部品１１ｂと、内蔵部品１１ｂと収容部１１ａ１の内壁との隙間に設けられた絶縁部１１ｃと、コア層１１ａの上面（厚さ方向の一面）に設けられた３つの絶縁層１１ｄ〜１１ｆと、コア層１１ａの下面（厚さ方向の他面）に設けられた３つの絶縁層１１ｇ〜１１ｉを有している。図面には収容部１１ａ１として貫通孔タイプのものを示してあるが、内蔵部品１１ｂを収納できるのであれば非貫通孔タイプのものを該収容部１１ａ１として採用しても良い。
【００１３】
また、絶縁層１１ｅには、２つの信号配線１１ｊと、絶縁層１１ｄを貫く１つのＴ型導体ビア１１ｋが設けられている。絶縁層１１ｅと絶縁層１１ｈには、絶縁層１１ｄ、コア層１１ａ及び絶縁体層１１ｇを貫く１つのＩ型導体ビア１１ｌが該コア層１１ａと非接触で設けられている。絶縁体層１１ｆの上面には、該絶縁体層１１ｆを貫く４つのＴ型導体ビア１１ｍが設けられている。絶縁体層１１ｈには、絶縁層１１ｇを貫く３つのＴ型導体ビア１１ｎが設けられている。絶縁体層１１ｉの下面には、該絶縁体層１１ｉｈを貫く４つのＴ型導体ビア１１ｏが設けられている。符号を省略したが、導体ビア１１ｌと貫通孔１１ａ２の内壁との隙間には絶縁部が設けられ、導体ビア１１ｌ内の隙間にも絶縁部が設けられている。
【００１４】
さらに、導体ビア１１ｋの下面はコア層１１ａの上面に接続され、４つの導体ビア１１ｍのうちの２つの導体ビア１１ｍの下面は２つの信号配線１１ｄの上面にそれぞれ接続され、残り２つのうちの１つの導体ビア１１ｍの下面は導体ビア１１ｋの上面に接続され、残り１つの導体ビア１１ｍの下面は導体ビア１１ｌの上面に接続されている。３つの導体ビア１１ｎのうちの２つの導体ビア１１ｎの上面は内蔵部品１１ｂの端子に接続され、残り１つの導体ビア１１ｎの上面はコア層１１ａの下面に接続されている。４つの導体ビア１１ｏのうち２つの導体ビア１１ｏの上面は２つの導体ビア１１ｎの下面にそれぞれ接続され、残り２つのうちの１つの導体ビア１１ｏの上面は１つの導体ビア１１ｎの下面に接続され、残り１つの導体ビア１１ｏの上面は導体ビア１１ｌの下面に接続されている。
【００１５】
尚、図２〜図４に示した断面構造には現れていないが、前記部品内蔵基板１１は前記以外の信号配線及び導体ビアを含むと共にコア層１１ａ以外の接地配線を含んでいる。
【００１６】
前記コア層１１ａは銅や銅合金等の金属から成り、その厚さは例えば３５〜５００μｍの範囲内にあり、該コア層１１ａは接地配線を兼用している。前記内蔵部品１１ｂはコンデンサやインダクタやレジスタやフィルタチップやＩＣチップ等の電子部品から成る。図面には１つの内蔵部品１１ｂを示してあるが、該内蔵部品１１ｂの数に特段の制限は無い。
【００１７】
前記各絶縁層１１ｄ〜１１ｆ及び１１ｇ〜１１ｉはエポキシ樹脂やポリイミドやビスマレイミドトリアジン樹脂やこれらにガラス繊維等の補強フィラーを含有させたもの等の絶縁性の熱硬化性合成樹脂から成り、その厚さは例えば５〜５０μｍの範囲内にある。絶縁部１１ｃと、貫通孔１１ａ２の内壁と導体ビア１１ｌとの隙間に設けられた絶縁部（符号無し）と、導体ビア１１ｌの内外の隙間に設けられた絶縁部（符号無し）も、エポキシ樹脂やポリイミドやビスマレイミドトリアジン樹脂やこれらにガラス繊維等の補強フィラーを含有させたもの等の絶縁性の熱硬化性合成樹脂から成る。
【００１８】
ここで、図１及び図５を引用して、コア層１１ａの側面部分の構造について詳述する。コア層１１ａはその上面輪郭が略矩形状を成しており、４つの側面１１ａ３それぞれから外側に向けて張り出した２つの第１突出部１１ａ４と２つの第２突出部１１ａ５を一体に有している。各第１突出部１１ａ４はコア層１１ａの厚さ方向の上側に位置し、各第２突出部１１ａ５はコア層の厚さ方向の下側に位置しており、各側面１１ａ３において第１突出部１１ａ４と第２突出部１１ａ５はコア層１１ａの厚さ方向と直交する方向に間隔ＣＬをおいて千鳥状に交互に並んでいる。
【００１９】
各第１突出部１１ａ４と各第２突出部１１ａ５は何れも略直方体形状を成しており、各第１突出部１１ａ４の幅Ｗ１１ａ４と各第２突出部１１ａ５の幅Ｗ１１ａ５は略等しく、両者の幅は例えば２００〜６００μｍの範囲内にあり、両者の間隔ＣＬも例えば２００〜６００μｍの範囲内にある。各第１突出部１１ａ４の高さＨ１１ａ４は各第２突出部１１ａ５の高さＨ１１ａ５よりも小さく、各第１突出部１１ａ４の高さＨ１１ａ４は例えば５０〜２００μｍの範囲内にあり、各第２突出部１１ａ５の高さＨ１１ａ５は例えば１００〜３００μｍの範囲内にある。各第１突出部１１ａ４の突出寸法Ｐ１１ａ４と各第２突出部１１ａ５の突出寸法Ｐ１１ａ５は略等しく、両者の突出寸法は例えば５０〜２００μｍの範囲内にあり、両者の端面ＰＳはコア層１１ａの側面１１ａ３と略平行で絶縁層１１ｇ〜１１ｉの各端面と略同一平面上にある（図２及び図３を参照）。各第１突出部１１ａ４におけるシールド部１４の端面１４ａと向き合う面ＯＳ（図２を参照）はコア層１１ａの上面と略平行であるものの両者の間には例えば５０〜２００μｍの範囲内の距離Ｄ１１ａ４があり、各側面１１ａ３の上部には該距離Ｄ１１ａ４に準じた帯状の側面区域ＣＳ（図５の塗り潰し区域、並びに、図２〜図４を参照）が設けられている。因みに、各第２突出部１１ａ５の下面ＵＳはコア層１１ａの下面と略同一平面上にある。
【００２０】
また、コア層１１ａの各側面１１ａ３における側面区域ＣＳと各第１突出部１１ａ４及び各第２突出部１１ａ５を除く領域は、エポキシ樹脂やポリイミドやビスマレイミドトリアジン樹脂やこれらにガラス繊維等の補強フィラーを含有させたもの等の絶縁性の熱硬化性合成樹脂から成る外装部１１ｐによって覆われている（図２〜図４を参照）。外装部１１ｐの厚さは各第１突出部１１ａ４の突出寸法Ｐ１１ａ４と各第２突出部１１ａ５の突出寸法Ｐ１１ａ５と略等しく、その厚さは例えば５０〜２００μｍの範囲内にあり、各第１突出部１１ａ４の端面ＰＳと各第２突出部１１ａ５の端面ＰＳは外装部１１ｐの各側面において露出している（図２及び図３を参照）。
【００２１】
さらに、各第１突出部１１ａ４におけるシールド部１４の端面１４ａと向き合う面ＯＳは外装部１１ｐにおけるシールド部１４の端面１４ａと向き合う面ＯＳと略同一平面上にあって、各第１突出部１１ａ４におけるシールド部１４の端面１４ａと向き合う面ＯＳは外装部１１ｐにおけるシールド部１４の端面１４ａと向き合う面ＯＳと隣接している。つまり、シールド部１４は、その端面１４ａを各第１突出部１１ａ４におけるシールド部１４の端面１４ａと向き合う面ＯＳと外装部１１ｐにおけるシールド部１４の端面１４ａと向き合う面ＯＳの両方に密着していると共に、その端部内面（符号無し）をコア層１１ａの側面区域ＣＳに密着している（図２〜図４を参照）。これに対し、各第２突出部１１ａ５の位置は各第１突出部１１ａ４の位置よりも下側にあるため、シールド部１４は該各第２突出部１１ａ５に密着していない。
【００２２】
図２〜図４に示した断面構造において、実装部品１２はコンデンサやインダクタやレジスタやフィルタチップやＩＣチップ等の電子部品から成り、一方の実装部品１２の端子は４つの導体ビア１１ｍのうちの２つの導体ビア１１ｍの上面に接続され、他方の実装部品１２の端子は残り２つの導体ビア１１ｍの上面に接続されている。各実装部品１２と導体ビア１１ｍとの接続には例えばリフロー法等によるハンダ付けが利用されている。図面には２つの実装部品１２を示してあるが、該実装部品１２の数に特段の制限はない。
【００２３】
図２〜図４に示した断面構造において、封止部１３は実装部品１２を覆うように部品内蔵基板１１の上面に設けられている。封止部１３は外観上は略直方体形状を成し、各側面は絶縁層１１ｄ〜１１ｆの各端面と略同一平面上にある。封止部１３はエポキシ樹脂やポリイミドやビスマレイミドトリアジン樹脂やこれらにガラス繊維等の補強フィラーを含有させたもの等の絶縁性の熱硬化性合成樹脂から成り、その高さは実装部品１２を覆うに十分な寸法に設定されている。
【００２４】
図２〜図４に示した断面構造において、シールド部１４は封止部１３の表面及び部品内蔵基板１１のコア層１１ａの側面区域ＣＳ（図２〜図５を参照）を覆うようにして設けられている。シールド部１４は外観上は略直方体形状を成し（図１を参照）、各側面は外装部１１ｐの各側面及び絶縁層１１ｇ〜１１ｉの各端面と略同一平面上にある。シールド部１４は金属繊維等の導電フィラーを含有したエポキシ樹脂や同導電フィラーを含有したポリイミドや同導電フィラーを含有したビスマレイミドトリアジン樹脂等の導電性の熱硬化性合成樹脂から成り、その厚さは例えば５０〜２００μｍの範囲内にある。このシールド部１４とコア層１１ａ、各第１突出部１１ａ４及び外装部１１ｐとの密着形態については先に述べた通りである。
【００２５】
《前記電子回路モジュールの好適な製法例》
前記電子回路モジュール１０を製造するときには、先ず、図６（Ａ）、図６（Ｂ）及び図６（Ｃ）に示したように、複数の部品内蔵基板１１が例えばマトリクス状に連結されたような態様の多数個取り基板ＳＢを用意する。因みに、図６（Ａ）は図２に示した断面構造に対応する多数個取り基板ＳＢの要部縦断面図、図６（Ｂ）は図３に示した断面構造に対応する多数個取り基板ＳＢの要部縦断面図、図６（Ｃ）は図４に示した断面構造に対応する多数個取り基板ＳＢの要部縦断面図である。
【００２６】
この多数個取り基板ＳＢのコア層ＳＢａは、図２に示した２つの第１突出部１１ａ４が切除分を含む連結部ＳＢｂとして存在し（図６（Ａ）参照）、図３に示した２つの第２突出部１１ａ５が切除分を含む連結部ＳＢｂとして存在する（図６（Ｂ）参照）。図６（Ａ）に示した連結部ＳＢｂの下側には側面１１ａ３に対応した内面ＳＢｃを有する凹部が存在し、図６（Ｂ）に示した連結部ＳＢｂの上側には側面１１ａ３に対応した内面ＳＢｃを有する凹部が存在し、両凹部内に外装部１１ｐに対応した絶縁材が充填されている。図６（Ｃ）には連結部ＳＢｂは存在せず、側面１１ａ３に対応した内面ＳＢｃの間に外装部１１ｐに対応した絶縁材が充填されている。そして、多数個取り基板ＳＢにリフローハンダ付け法によって実装部品１２を実装する。
【００２７】
次に、図７（Ａ）及び図７（Ｅ）に示したように、封止部１３に対応した封止材ＥＮを実装部品１２を覆うように多数個取り基板ＳＢの上面に塗工して硬化させる。そして、図７（Ｂ）及び図７（Ｆ）に示したように、個々の部品内蔵基板１１の境界に当たる箇所（１点鎖線を参照）にダイシング機等を用いて上面から下方に向かう切り込みＧＲを形成する。この切り込みＧＲの幅Ｗｇｒは側面１１ａ３に対応した内面ＳＢｃの対向間隔に略一致し、深さＤｇｒは図６（Ａ）の連結部ＳＢｂの上面に入り込む寸法となっている。これにより、個々の部品内蔵基板１１の封止部１３が作製される。
【００２８】
次に、図７（Ｃ）及び図７（Ｇ）に示したように、シールド部１４に対応したシールド材ＳＨを多数個取り基板の封止部１３それぞれを覆うように、且つ、切り込みＧＲに充填されるように塗工して硬化させる。そして、図７（Ｄ）及び図７（Ｈ）に示したように、個々の部品内蔵基板１１の境界に当たる箇所（１点鎖線を参照）にダイシング機等を用いて切断する。この切断跡ＣＴの幅Ｗｃｔは切り込みＧＲの幅Ｗｇｒよりも小さいため、個々の部品内蔵基板１１には第１突出部１１ａ４及び第２突出部１１ａ５と外装部１１ｐが残存する。また、前記切り込みＧＲを形成するときに連結部ＳＢｂの一部が切除されているため、ここでの切断は該連結部ＳＢｂの一部が切除されていない場合に比べて容易に行うことができる。
【００２９】
《前記電子回路モジュールによって得られる効果》
（効果１）前記回路モジュール１０は、部品内蔵基板１１が、接地配線を兼用する金属製のコア層１１ａと、コア層１１ａの各側面１１ａ３を覆う絶縁性合成樹脂製の外装部１１ｐと、コア層１１ａの各側面１１ａ３から外側に向けて張り出しその端面ＰＳを外装部１１ｐから露出した該コア層１１ａと一体の第１突出部１１ａ４を２つずつ有しており、各第１突出部１１ａ４におけるシールド部１４の端面１４ａと向き合う面ＯＳは外装部１１ｐにおけるシールド部１４の端面１４ａと向き合う面ＯＳと隣接していて、シールド部１４はその端面１４ａを各第１突出部１１ａ４におけるシールド部１４の端面１４ａと向き合う面ＯＳと外装部１１ｐにおけるシールド部１４の端面１４ａと向き合う面ＯＳの両方に密着している構造を備えている。
【００３０】
即ち、シールド部１４が導電性合成樹脂から成る場合でも、該シールド部１４の端面１４ａを絶縁性合成樹脂製の外装部１１ｐにおけるシールド部１４の端面１４ａと向き合う面ＯＳに合成樹脂同士の密着下で高い密着力をもってして密着させることができると共に、該密着に基づいて、シールド部１４の端面１４ａと金属製の各第１突出部１１ａ４におけるシールド部１４の端面１４ａと向き合う面ＯＳとの密着を良好に維持することができる。要するに、シールド部１４が導電性合成樹脂から成る場合でも、該シールド部１４と金属製の各第１突出部１１ａ４とに経時的な密着力低下が生じ難く、これによりシールド部１４と金属製の各第１突出部１１ａ４との導通性低下を回避して、所期のシールド効果を良好に維持できる。
【００３１】
しかも、第１突出部１１ａ４がコア層１１ａの各側面１１ａ３に２つずつ設けられているので、シールド部１４の端面１４ａと金属製の各第１突出部１１ａ４におけるシールド部１４の端面１４ａと向き合う面ＯＳとの密着をより確実化し、且つ、密着面積を増加して、シールド部１４と金属製の各第１突出部１１ａ４との導通性を高めることができる。
【００３２】
また、各第１突出部１１ａ４の端面ＰＳが外装部１１ｐから露出しているため、該第１突出部１１ａ４の端面ＰＳを接地端子として利用することもできる。
【００３３】
（効果２）電子回路モジュール１０は、各第１突出部１１ａ４におけるシールド部１４の端面１４ａと向き合う面ＯＳとコア層１１ａの厚さ方向一面との間に距離Ｄ１１ａ４があって、コア層１１ａの各側面１１ａ３には該距離Ｄ１１ａ４に準じた側面区域ＣＳが設けられており、シールド部１４はその端面１４ａを各第１突出部１１ａ４におけるシールド部１４の端面１４ａと向き合う面ＯＳと外装部１１ｐにおけるシールド部１４の端面１４ａと向き合う面ＯＳの両方に密着していると共に、その端部内面を前記側面区域ＣＳに密着している構造を備えている。
【００３４】
即ち、シールド部１４が導電性合成樹脂から成る場合でも、該シールド部１４の端面１４ａを絶縁性合成樹脂製の外装部１１ｐにおけるシールド部１４の端面１４ａと向き合う面ＯＳに合成樹脂同士の密着下で高い密着力をもってして密着させることができると共に、該密着に基づいて、シールド部１４の端面１４ａと金属製の各第１突出部１１ａ４におけるシールド部１４の端面１４ａと向き合う面ＯＳとの密着、並びに、シールド部１４の端部内面と前記側面区域ＣＳとの密着を良好に維持することができる。要するに、シールド部１４が導電性合成樹脂から成る場合でも、密着面積の増加も相俟って、該シールド部１４と金属製の各第１突出部１１ａ４及び前記側面区域ＣＳとに経時的な密着力低下が生じ難く、これによりシールド部１４と金属製の各第１突出部１１ａ４との導通性低下を確実に回避して、所期のシールド効果をより一層良好に維持できる。
【００３５】
（効果３）前記電子回路モジュール１０は、コア層１１ａはその各側面１１ａ３から外側に向けて張り出しその端面ＰＳを外装部１１ｐから露出した該コア層１１ａと一体の第２突出部１１ａ５を２つずつ有しており、各第２突出部１１ａ５のコア層１１ａの厚さ方向における位置は第１突出部１１ａ４のコア層１１ａの厚さ方向における位置と異なっていて、シールド部１４は各第２突出部１１ａ５に密着していない構造を備えている。
【００３６】
即ち、コア層１１ａの各側面１１ａ３に対する絶縁性合成樹脂製の外装部１１ｐの密着力を該外装部１１ｐと各第２突出部１１ａ５との密着に基づいて高めることができるため、外装部１１ｐが絶縁性合成樹脂から成る場合でも該外装部１１ｐとコア層１１ａの各側面１１ａ３との密着力低下を抑止して、剥離等の恐れを回避することができる。
【００３７】
しかも、第２突出部１１ａ５がコア層１１ａの各側面１１ａ３に２つずつ設けられているので、該第２突出部１１ａ５による前記密着力向上を的確に行って、外装部１１ｐとコア層１１ａの各側面１１ａ３との密着力低下をより確実に抑止することができる。
【００３８】
また、各第２突出部１１ａ５の端面ＰＳが外装部１１ｐから露出しているため、該第２突出部１１ａ５の端面ＰＳを接地端子として利用することもできる。
【００３９】
《前記電子回路モジュールの変形例》
（変形例１）前記《電子回路モジュールの構造》では、コア層１１ａの各側面１１ａ３に各２つの第１突出部１１ａ４及び第２突出部１１ａ５を設けたものを示したが、第１突出部１１ａ４及び第２突出部１１ａ５の総数が２、３又は５以上であっても、各側面１１ａ３に設けられた第１突出部１１ａ４及び第２突出部１１ａ５の数が同じでなくても、第１突出部１１ａ４と第２突出部１１ａ５が交互に並んでいなくとも、前記効果１〜効果３を同様に得ることができる。また、コア層１１ａとしてその上面輪郭が略矩形状のものを示したが、上面輪郭が他の形状であっても、同様の第１突出部１１ａ４及び第２突出部１１ａ５をコア層１１ａが有していれば、前記効果１〜効果３を同様に得ることができる。
【００４０】
（変形例２）前記《電子回路モジュールの構造》では、コア層１１ａの各側面１１ａ３に各２つの第１突出部１１ａ４及び第２突出部１１ａ５を設けたものを示したが、各側面１１ａ３から第２突出部１１ａ５を排除しても、加えて第１突出部１１ａ４の総数を変えたりコア層１１ａの上面輪郭を変えたりしても、前記効果１及び効果２を同様に得ることができる。
【００４１】
（変形例３）前記《電子回路モジュールの構造》では、コア層１１ａの各側面１１ａ３に側面区域ＣＳを設けたものを示したが、該側面区域ＣＳを排除して各第１突出部１１ａ４におけるシールド部１４の端面１４ａと向き合う面をコア層１１ａの厚さ方向一面と同一平面上に位置させても、加えて第１突出部１１ａ４の総数を変えたりコア層１１ａの上面輪郭を変えても、前記効果１及び効果３を同様に得ることができる。
【００４２】
（変形例４）前記《電子回路モジュールの構造》では、コア層１１ａの上面（厚さ方向の一面）と下面（厚さ方向の他面）のそれぞれに３つの絶縁層（符号省略）を設けたものを示したが、各々の絶縁層の数を変えても、内蔵部品１１ｂ及び実装部品１２の数を変えても、要するに３次元的に構築される電子回路を適宜変更しても、前記効果１〜効果３を同様に得ることができる。
【符号の説明】
【００４３】
１０…電子回路モジュール、１１…部品内蔵基板、１１ａ…コア層、１１ａ１…コア層の収容部、１１ａ３…コア層の側面、１１ａ４…コア層の第１突出部、１１ａ５…コア層の第２突出部、ＰＳ…第１突出部と第２突出部の端面、ＯＳ…第１突出部におけるシールド部と向き合う面、ＣＳ…コア層の側面区画、１１ｂ…部品内蔵基板の内蔵部品、１１ｐ…部品内蔵基板の外装部、ＯＳ…外装部におけるシールド部と向き合う面、１２…実装部品、１３…封止部、１４…シールド部。
【図１】
2014112627.tif 000003
【図２】
2014112627.tif 000004
【図３】
2014112627.tif 000005
【図４】
2014112627.tif 000006
【図５】
2014112627.tif 000007
【図６】
2014112627.tif 000008
【図７】
2014112627.tif 000009